(57)【要約】【課題】使用者の着座姿勢を矯正し、脊椎が曲がったり猫背になったりすることを防ぐ折り畳み式クッションを提供する。【解決手段】折り畳み式クッションは、相対する位置に設けられた第１のパッド１及び第２のパッド２を備える。第２のパッド２は、第１のパッド１と隣り合う一側から他側に向かって漸傾状に形成されて上向きに弧状突出された脊椎下端支持部２１を有する。第１のパッド１と第２のパッド２との間には少なくとも１つの第３のパッド３が設けられる。第３のパッド３と、第１のパッド１及び第２のパッド２との間には少なくとも１つの折り畳み部材４が接続される。【選択図】図１
0003226847.tif 000002
【実用新案登録請求の範囲】
【請求項１】
折り畳み式クッションであって、
相対する位置に設けられた第１のパッド及び第２のパッドを備え、
前記第２のパッドは、前記第１のパッドと隣り合う一側から他側に向かって漸傾状に形成されて上向きに弧状突出された脊椎下端支持部を有し、
前記第１のパッドと前記第２のパッドとの間には少なくとも１つの第３のパッドが設けられ、
前記第３のパッドと、前記第１のパッド及び前記第２のパッドとの間には少なくとも１つの折り畳み部材が接続されることを特徴とする、
折り畳み式クッション。
【請求項２】
前記第１のパッド及び前記第２のパッドは、相対する前後の位置に設けられ、前記第１のパッド及び前記第２のパッドの左右両側には、少なくとも１つの前記第３のパッドがそれぞれ設けられ、前記第１のパッド及び前記第２のパッドの左右両側は、前記第３のパッドに接続され、前記第１のパッド及び前記第２のパッドの左右両側と前記第３のパッドとの間には中空区間が取り囲まれて形成されていることを特徴とする請求項１に記載の折り畳み式クッション。
【請求項３】
前記第１のパッド、前記第２のパッド及び前記第３のパッドの頂面には、マットがそれぞれ接続され、前記第１のパッド及び前記第３のパッドには、少なくとも１つの貫通孔がそれぞれ形成され、前記第１のパッド及び前記第３のパッド上の前記マットには、前記第１のパッド及び前記第３のパッドの前記貫通孔に対応した箇所に透孔がそれぞれ形成され、少なくとも１つのマッサージ部材をさらに備え、前記マッサージ部材は、前記第１のパッド及び前記第３のパッドの何れか１つの前記貫通孔に挿設され、前記マッサージ部材の頂端は、マッサージバンプに成形され、前記貫通孔に対応した前記マットの前記透孔から前記マッサージバンプが突出されて露出されることを特徴とする請求項１に記載の折り畳み式クッション。
【請求項４】
前記第１のパッド及び前記第３のパッドには、少なくとも１つの貫通孔がそれぞれ形成され、少なくとも１つのマッサージ部材をさらに備え、前記マッサージ部材は、前記第１のパッド及び前記第３のパッドの何れか１つの前記貫通孔に挿設され、前記マッサージ部材の頂端は、マッサージバンプに成形され、前記マッサージバンプは、前記貫通孔の頂端から突出されて露出されることを特徴とする請求項１に記載の折り畳み式クッション。
【考案の詳細な説明】
【技術分野】
【０００１】
本考案は、折り畳み式クッションに関し、特に、使用者の着座姿勢を効果的に矯正する上、折り畳むことができるため大きなスペースをとらず、携帯及び収納が容易な折り畳み式クッションに関する。
【背景技術】
【０００２】
現代人は、自宅、事務所などの環境において、椅子に長時間座ることが多いため、着座姿勢が正確でなければ、健康に悪影響を与える虞がある。長時間悪い姿勢で座ると、腰及び背中が痛み、下肢が痺れるなどの問題を引き起こす他、脊椎が曲がったり猫背になったりして持病となり、健康に問題が生じ易かった。また、従来の椅子には、座り心地を良くするために、シートの表布で発泡体を覆ったものがあるが、このような椅子は、体の熱が表布を通って発泡体に伝わり、発泡体が体の熱を吸収して放熱されにくくなるため、一定時間座ると、暑苦しく不快に感じることがあった。
【考案の概要】
【考案が解決しようとする課題】
【０００３】
本考案の第１の目的は、使用者の着座姿勢を矯正し、脊椎が曲がったり猫背になったりすることを防ぐ折り畳み式クッションを提供することにある。
本考案の第２の目的は、容易に折り畳んで収納し、携帯して使用することができる折り畳み式クッションを提供することにある。
本考案の第３の目的は、長時間座っても脚部が痺れない折り畳み式クッションを提供することにある。
本考案の第４の目的は、長時間座っても暑苦しくならない折り畳み式クッションを提供することにある。
【課題を解決するための手段】
【０００４】
上記の課題を解決するために、本考案の第１の形態によれば、折り畳み式クッションであって、相対する位置に設けられた第１のパッド及び第２のパッドを備え、前記第２のパッドは、前記第１のパッドと隣り合う一側から他側に向かって漸傾状に形成されて上向きに弧状突出された脊椎下端支持部を有し、前記第１のパッドと前記第２のパッドとの間には少なくとも１つの第３のパッドが設けられ、前記第３のパッドと、前記第１のパッド及び前記第２のパッドとの間には少なくとも１つの折り畳み部材が接続されることを特徴とする、折り畳み式クッションを提供する。
【考案の効果】
【０００５】
本考案の折り畳み式クッションは、以下（１）〜（４）の効果を有する。
（１）使用者の着座姿勢を矯正し、脊椎が曲がったり猫背になったりすることを防ぐ。
（２）容易に折り畳んで収納することができるため、携帯して使用することができる。
（３）長時間座っても脚部が痺れない。
（４）長時間座っても暑苦しくならない。
【図面の簡単な説明】
【０００６】
【図１】本考案の一実施形態に係る折り畳み式クッションを示す分解斜視図である。
【図２】本考案の一実施形態に係る折り畳み式クッションを示す斜視図である。
【図３】本考案の一実施形態に係る折り畳み式クッションを示す断面図である。
【図４】本考案の他の実施形態に係る折り畳み式クッションを示す断面図である。
【図５】本考案の一実施形態に係る折り畳み式クッションの使用状態の説明図である。
【図６】本考案の一実施形態に係る折り畳み式クッションの収納状態の説明図である。
【図７】本考案の他の実施形態に係る折り畳み式クッションの使用状態の説明図である。
【考案を実施するための形態】
【０００７】
本明細書に記載されている“前”、“後”、“左”、“右”などの方向を表す用語は、本考案の構造を詳しく説明するために記載されたものであり、本考案の方向を何ら限定するものではないことを予め述べておく。
【０００８】
図１〜図４を参照する。図１〜図４に示すように、本考案の一実施形態に係る折り畳み式クッションは、相対する前後の位置に設けられた第１のパッド１及び第２のパッド２を備える。第２のパッド２は、第１のパッド１と隣り合う一側から他側に向かって漸傾状に形成されて上向きに弧状突出された脊椎下端支持部２１を有する。
第１のパッド１と第２のパッド２との間には少なくとも１つの第３のパッド３が設けられ、第３のパッド３と、第１のパッド１及び第２のパッド２との間には少なくとも１つの折り畳み部材４が接続される。折り畳み部材４は、ヒンジでもよいし、第１のパッド１、第２のパッド２及び第３のパッド３と一体射出成型された接続片でもよい。
【０００９】
本実施形態の第１のパッド１及び第２のパッド２の左右両側には、少なくとも１つの第３のパッド３がそれぞれ設けられ、第１のパッド１及び第２のパッド２の左右両側と第３のパッド３との間には中空区間５が取り囲まれて形成されている。本実施形態の第１のパッド１及び第２のパッド２の左右両側には、２つの第３のパッド３が相対する位置にそれぞれ設けられ、２つの第３のパッド３間には、少なくとも１つの折り畳み部材４が接続される。
【００１０】
本実施形態の第１のパッド１、第２のパッド２及び第３のパッド３の頂面には、ゴム又はシリコーンからなるマット６がそれぞれ接続されている。第１のパッド１及び第３のパッド３には、少なくとも１つの貫通孔７がそれぞれ形成され、第１のパッド１及び第３のパッド３上のマット６には、貫通孔７に対応した箇所に貫通孔７よりも大きな直径を有する透孔６１がそれぞれ形成される。
本実施形態の折り畳み式クッションは、少なくとも１つのマッサージ部材８をさらに備えてもよい。このマッサージ部材８は、第１のパッド１及び第３のパッド３の何れか１つの貫通孔７に挿設される。マッサージ部材８の頂端は、球形のマッサージバンプ８１に成形され、貫通孔７に対応したマット６の透孔６１からマッサージバンプ８１が突出されて露出される。
【００１１】
図５を併せて参照する。図５に示すように、折り畳み式クッションを実際に使用する場合、折り畳み式クッションを展開して椅子９のシート９１上に載置した後、使用者が本実施形態のクッション上に座ると、本実施形態の第２のパッド２上に臀部が位置し、脚部及び臀部が第１のパッド１及び第３のパッド３にそれぞれ接触し、使用者が臀部を使って第２のパッド２に座ると、脊椎下端の尾骨、薦骨などが第２のパッド２の脊椎下端支持部２１により支えられ、使用者の脊椎が自然に真っすぐとなって正しい着座姿勢となる。このため、使用者が長時間悪い姿勢で着座することにより、腰及び背中が痛くなることを防ぐとともに、脊椎が曲がったり猫背となったりすることを防ぐこともできる。
【００１２】
本実施形態の折り畳み式クッションに使用者が座ると、脚部などの下肢部位が第１のパッド１及び第３のパッド３上に設けたマッサージ部材８のマッサージバンプ８１に接触し、マッサージ部材８のマッサージを受けることができるため、使用者が長時間座っても下肢が痺れるなどの問題が生じることを防ぐ。
また、使用者が本実施形態の折り畳み式クッションに座るとき、第１のパッド１、第２のパッド２及び第３のパッド３の表面に設けたマット６により、使用者が本実施形態の折り畳み式クッションに座るときの座り心地を高めることができる上、使用者の臀部及び脚部を椅子９のシート９１から隔離することができるため、シート９１内に設けられた発泡体に使用者の体の熱が伝わった後、排出されにくく暑苦しさを感じ、使用者の体の熱が、第１のパッド１、第２のパッド２及び第３のパッド３間に形成された中空区間５と、第１のパッド１、第２のパッド２及び第３のパッド３の接続箇所の間隙から放出されるため、座っても涼しく快適に感じる。
【００１３】
図６を参照する。図６に示すように、本実施形態の折り畳み式クッションを使用しないときは、第１のパッド１、第２のパッド２、第３のパッド３の間を折り畳み部材４により接続し、第３のパッド３及び第１のパッド１を順次折り畳んで第２のパッド２の底部に収納することができる。このため、本実施形態の折り畳み式クッションは広いスペースを取らず、携帯及び収納が容易であり、何時でも容易に取り出して使用することができる。
【００１４】
図７を併せて参照する。図７に示すように、本実施形態の折り畳み式クッションは、椅子９のシート９１に展開して載置することができる上、椅子９を使用しないときは展開し、床、畳、芝生などに平らに置いて使用者がその上に座って椅子として使用してもよい。また、本実施形態は、第１のパッド１、第２のパッド２及び第３のパッド３の頂面にマット６を設置することを省略し、マッサージ部材８を第１のパッド１及び第３のパッド３の何れか１つの貫通孔７に挿設し、マッサージ部材８のマッサージバンプ８１を、貫通孔７の頂端から突出させて露出させ、使用者の脚部などをマッサージしてもよい。
【００１５】
上述したことから分かるように、本考案の折り畳み式クッションは、以下（１）〜（６）の長所を有する。
（１）折り畳み式クッションの第２のパッドには、前側から後側に向かって漸傾状に形成されて上向きに弧状突出された脊椎下端支持部が形成されているため、使用者が臀部を使って第２のパッドに座ると、脊椎下端支持部により脊椎の薦骨が支えられ、使用者の脊椎が自然に真っすぐとなり、正しい着座姿勢となるため、使用者が長時間悪い姿勢で着座して腰及び背中が痛くなることを防ぐとともに、脊椎が曲がったり猫背となったりすることを防ぐ。
（２）折り畳み式クッションは、少なくとも１つのマッサージ部材を有し、マッサージ部材を用途に応じて第１のパッド及び第３のパッドに形成された貫通孔に挿設させて使用者の脚部などに接触させると、使用者の脚部がマッサージされるため、使用者が長時間座っても下肢が痺れることはない。
（３）折り畳み式クッションは、第１のパッド、第２のパッド、第３のパッドの間が折り畳み部材により接続され、折り畳み式クッションを使用しないときは、第３のパッド及び第１のパッドを折り畳んで第２のパッドの底部に収納することができるため、本考案は広いスペースを取らず、携帯及び収納が容易であり、何時でも容易に取り出して使用することができる。
（４）折り畳み式クッションを椅子のシート上に載置し、使用者が本考案の折り畳み式クッションに座る場合、使用者の臀部及び脚部を椅子のシートから隔離することができるため、シート内に設けられた発泡体に使用者の体の熱が伝わった後、暑苦しさを感じ、使用者の体の熱が、第１のパッド、第２のパッド、第３のパッドの間に形成された中空区間と、第１のパッド、第２のパッド及び第３のパッドの接続箇所の間隙とから放出されるため、座ったときに涼しく快適に感じる。
（５）折り畳み式クッションは、第１のパッド、第２のパッド及び第３のパッドの頂面には、マットがそれぞれ接続されているため、使用者が本考案の折り畳み式クッションに座ったときの快適度を高めることができる。
（６）折り畳み式クッションは、椅子に使用せずに、床、畳、芝生などに平らに置いて使用者がその上に座って使用することもできる。
【符号の説明】
【００１６】
１  第１のパッド
２  第２のパッド
３  第３のパッド
４  折り畳み部材
５  中空区間
６  マット
７  貫通孔
８  マッサージ部材
９  椅子
２１  脊椎下端支持部
６１  透孔
８１  マッサージバンプ
９１  シート
【図１】
0003226847.tif 000003
【図２】
0003226847.tif 000004
【図３】
0003226847.tif 000005
【図４】
0003226847.tif 000006
【図５】
0003226847.tif 000007
【図６】
0003226847.tif 000008
【図７】
0003226847.tif 000009